(57)【要約】  遠心ポンプ１は、ハウジング本体２０と、血液流入ポート２５と、血液流出ポート２６とを有するハウジング２と、ハウジング本体２０内に回転可能に収納された回転体３と、回転体３を支持する支持機構４とを備えている。支持機構４は、棒状の軸部材５と、軸部材５の端部を回転可能に支持する第１の軸受け６および第２の軸受け７とを有している。また、第１の軸受け６は、血流の上流側からみたとき、回転中心Ｏに対して偏心して突出形成された突出部６２を有する。
2016042976.tif 000002
【特許請求の範囲】
【請求項１】
中空体で構成されたハウジング本体と、前記ハウジング本体から突出形成され、前記ハウジング本体に連通し、血液が流入する血液流入ポートと、前記ハウジング本体の前記血液流入ポートとは異なる位置に設けられ、血液が流出する血液流出ポートとを有するハウジングと、
前記中空部内に回転可能に収納され、その回転により血液に遠心力を付与する遠心力付与部材と、
前記遠心力付与部材を前記ハウジングに対し回転可能に支持する支持機構とを備え、
前記支持機構は、前記遠心力付与部材の回転中心に設置された軸部材と、
前記血液流入ポート内に設置され、前記軸部材の一端部を回転可能に支持する第１の軸受けと、
前記軸部材の他端部を回転可能に支持する第２の軸受けとを有し、
前記第１の軸受けは、血流の上流側からみたとき、前記回転中心に対して偏心して突出形成された突出部を有することを特徴とする遠心ポンプ。
【請求項２】
前記突出部は、前記軸部材の回転により生じる、前記血液流入ポート内での血液の逆流を防止する機能を有する請求項１に記載の遠心ポンプ。
【請求項３】
前記突出部は、前記血液が前記血液流入ポート内を流下する方向と、前記軸部材の回転方向とが互いに反対方向になる部分に位置している請求項１または２に記載の遠心ポンプ。
【請求項４】
前記突出部は、前記軸部材の半周を覆う形状をなしている請求項１ないし３のいずれか１項に記載の遠心ポンプ。
【請求項５】
前記血液流入ポートは、前記回転中心に対して傾斜した円筒状をなし、
前記突出部は、前記血液流入ポートの内周面と同じ方向に傾斜した傾斜部を有する請求項１ないし４のいずれか１項に記載の遠心ポンプ。
【請求項６】
前記血液流入ポートは、その内周部が凹没して形成され、前記第１の軸受けが設置される凹部を有し、
前記傾斜部は、前記血液流入ポートの内周面と、前記血液流入ポートの中心軸からの距離が同じか、または、前記血液流入ポートの内周面よりも前記血液流入ポートの中心軸側に位置している請求項５に記載の遠心ポンプ。
【請求項７】
前記血液流入ポートの内周部の前記第１の軸受けよりも上流側に突出形成され、血液の流れを整流する整流部を有している請求項１ないし６のいずれか１項に記載の遠心ポンプ。
【発明の詳細な説明】
【技術分野】
【０００１】
本発明は、遠心ポンプに関する。
【背景技術】
【０００２】
従来、血液を搬送する血液ポンプとしては、遠心力によって血液を送り出すターボ型のポンプがあり、中空のハウジングと、ハウジング内に回転可能に収納されたインペラと、インペラの回転中心となる回転軸（軸部材）と、回転軸の上端部を回転可能に支持する上部軸受けと、回転軸の下端部を回転可能に支持する下部軸受けとを備えるものが知られている（例えば、特許文献１参照）。【０００３】
この特許文献１に記載の血液ポンプでは、ハウジングは、血液が流入する入口ポートと、血液が流出する出口ポートとを有している。これら入口ポートと出口ポートとは、ハウジングから筒状に突出して形成されている。また、入口ポートは、その中心軸が回転軸と一致するように、軸部材の延長上に設けられている。【０００４】
ここで、近年では、入口ポートが回転軸に対して傾斜して設けられている血液ポンプが用いられている。この場合、例えば、入口ポートの途中に凹部を形成し、凹部内に上部軸受けを設置する構成が挙げられる。【０００５】
しかしながら、このような構成では、回転軸の外周に、その回転方向と同方向の血液の旋回流（逆流）が生じる。この旋回流が入口ポートを流下する血流とぶつかる（合流する）と、入口ポート内に血液の滞留部が生じる。その結果、長時間、血液ポンプを使用した場合、凹部内、特に回転軸の凹部に挿入された部分の外周部に血栓が形成される可能性がある。
【先行技術文献】
【特許文献】
【０００６】
【特許文献１】特許第４５４８４５０号公報
【発明の概要】
【発明が解決しようとする課題】
【０００７】
本発明の目的は、血液流入ポート内において血栓が形成されるのを効果的に防止または抑制することができる遠心ポンプを提供することにある。
【課題を解決するための手段】
【０００８】
このような目的は、下記（１）〜（７）の本発明により達成される。
（１）  中空体で構成されたハウジング本体と、前記ハウジング本体から突出形成され、前記ハウジング本体に連通し、血液が流入する血液流入ポートと、前記ハウジング本体の前記血液流入ポートとは異なる位置に設けられ、血液が流出する血液流出ポートとを有するハウジングと、
前記中空部内に回転可能に収納され、その回転により血液に遠心力を付与する遠心力付与部材と、
前記遠心力付与部材を前記ハウジングに対し回転可能に支持する支持機構とを備え、
前記支持機構は、前記遠心力付与部材の回転中心に設置された軸部材と、
前記血液流入ポート内に設置され、前記軸部材の一端部を回転可能に支持する第１の軸受けと、
前記軸部材の他端部を回転可能に支持する第２の軸受けとを有し、
前記第１の軸受けは、血流の上流側からみたとき、前記回転中心に対して偏心して突出形成された突出部を有することを特徴とする遠心ポンプ。【０００９】
（２）  前記突出部は、前記軸部材の回転により生じる、前記血液流入ポート内での血液の逆流を防止する機能を有する上記（１）に記載の遠心ポンプ。【００１０】
（３）  前記突出部は、前記血液が前記血液流入ポート内を流下する方向と、前記軸部材の回転方向とが互いに反対方向になる部分に位置している上記（１）または（２）に記載の遠心ポンプ。【００１１】
（４）  前記突出部は、前記軸部材の半周を覆う形状をなしている上記（１）ないし（３）のいずれかに記載の遠心ポンプ。【００１２】
（５）  前記血液流入ポートは、前記回転中心に対して傾斜した円筒状をなし、
前記突出部は、前記血液流入ポートの内周面と同じ方向に傾斜した傾斜部を有する上記（１）ないし（４）のいずれかに記載の遠心ポンプ。【００１３】
（６）  前記血液流入ポートは、その内周部が凹没して形成され、前記第１の軸受けが設置される凹部を有し、
前記傾斜部は、前記血液流入ポートの内周面と、前記血液流入ポートの中心軸からの距離が同じか、または、前記血液流入ポートの内周面よりも前記血液流入ポートの中心軸側に位置している上記（５）に記載の遠心ポンプ。【００１４】
（７）  前記血液流入ポートの内周部の前記第１の軸受けよりも上流側に突出形成され、血液の流れを整流する整流部を有している上記（１）ないし（６）のいずれかに記載の遠心ポンプ。
【発明の効果】
【００１５】
本発明によれば、第１の軸受けは、血流の上流側からみたとき、軸部材の回転中心に対して偏心して突出形成された突出部を有しているため、血液が前記血液流入ポート内を流下することにより生じる第１の血流に、軸部材が回転することにより生じる第２の血流がぶつかる（合流する）のを防止することができる。これにより、血液流入ポート内に血液が滞留する滞留部が形成されるのを防止することができる。よって、血液流入ポート内において血栓が形成されるのを効果的に防止または抑制することができる。
【図面の簡単な説明】
【００１６】
【図１】図１は、本発明の遠心ポンプの実施形態を示す断面側面図である。
【図２】図２は、本発明の遠心ポンプの実施形態を示す断面平面図である。
【図３】図３は、図１に示す遠心ポンプが備える第１の軸受けの斜視図である。
【図４】図４は、図１中の矢印Ａ方向から見た図である。
【図５】図５は、図３中のＢ−Ｂ線断面図である。
【図６】図６は、本発明の遠心ポンプ（第２実施形態）の拡大断面図である。
【図７】図７は、図６に示す第１の軸受けの斜視図である。
【図８】図８は、本発明の遠心ポンプ（第３実施形態）の拡大断面図である。
【図９】図９は、図８中の矢印Ｃ方向から見た図である。
【発明を実施するための形態】
【００１７】
以下、本発明の遠心ポンプを添付図面に示す好適な実施形態に基づいて詳細に説明する。
【００１８】
＜第１実施形態＞
図１は、本発明の遠心ポンプの実施形態を示す断面側面図である。図２は、本発明の遠心ポンプの実施形態を示す断面平面図である。図３は、図１に示す遠心ポンプが備える第１の軸受けの斜視図である。図４は、図１中の矢印Ａ方向から見た図である。図５は、図３中のＢ−Ｂ線断面図である。
【００１９】
なお、以下では、説明の都合上、図１、図３（図５〜図９についても同様）の上側を「上」または「上方」、下側を「下」または「下方」と言う。
【００２０】
図１に示す遠心ポンプ１は、中空体で構成されたハウジング２と、ハウジング２内に回転可能に収納された回転体（インペラ）３と、回転体３をハウジング２に対し回転可能に支持する支持機構４とを備えている。以下、各部の構成について説明する。
【００２１】
ハウジング２は、ハウジング本体２０と、血液Ｑが流入する血液流入ポート２５と、血液Ｑが流出する血液流出ポート２６とを有している。
【００２２】
ハウジング本体２０は、偏平な円筒状の部材で構成され、その上端を閉塞する天板２１と、天板２１の縁部から立設した側壁２３と、下端を閉塞する底板２２とを有している。そして、天板２１と底板２２と側壁２３とで囲まれた偏平な空間（中空部）がポンプ室２４となる。
【００２３】
血液流入ポート２５と血液流出ポート２６とは、それぞれ、ポンプ室２４に連通している。そして、血液流入ポート２５から流入した血液Ｑは、ポンプ室２４を介して、血液流出ポート２６から流出することができる。
【００２４】
図１に示すように、血液流入ポート２５は、天板２１（一端部）の中心部に管状（円筒状）に突出形成されている。血液流入ポート２５は、その長手方向の途中が屈曲しており、当該屈曲部２５１を境界部として天板２１側の根元部２５２と、それと反対側の接続部２５３とに分けることができる。接続部２５３は、回転体３の回転軸Ｏに対して傾斜して設けられている。この接続部２５３には、例えば血液回路を構成するチューブを接続することができる。
【００２５】
図２に示すように、血液流出ポート２６は、側壁２３の外周面（外周部）２３１に管状に突出形成されている。この血液流出ポート２６は、側壁２３の外周面２３１の接線方向に向かって突出している。
【００２６】
ハウジング本体２０のポンプ室２４内には、円盤状をなす回転体３が同心的に配置されている。この回転体３は、回転することにより、血液Ｑに遠心力を付与する遠心力付与部材である。
【００２７】
図２に示すように、回転体３は、血液Ｑが通過する複数本（図示の構成では６本）の血液流路３１を有している。これらの血液流路３１は、回転体３の中心から放射状に形成されている。また、各血液流路３１の回転体３の中心側の部分同士は、互いに合流（交差）しており、回転体３の上面３２に開口している。一方、血液流路３１の回転体３の中心側と反対側の部分は、それぞれ、回転体３の外周面３３に開口している。また、回転体３の外周面３３とハウジング２の側壁２３の内周面２３２との間には、間隙２４１が形成されている。
【００２８】
そして、このような回転体３が、ハウジング２を上から見たような図２のように軸部材５を中心に時計回りに回転すると、血液流入ポート２５から流入した血液Ｑは、各血液流路３１にその回転体３の中心側の部分から入り込み、遠心力を受けて、血液流路３１を流下する。この流下した血液Ｑは、間隙２４１内に流出する。その後、血液Ｑは、間隙２４１内で図２中の時計回りの回転力を受けて、血液流出ポート２６に至ると、当該血液流出ポート２６から確実に排出されることとなる。
【００２９】
図１に示すように、回転体３には、血液流路３１の下側の部分に、磁石が設置されている。なお、図１に示す構成では、複数（例えば６つ）の永久磁石３４を用いている。遠心ポンプ１を駆動するに際しては、後述する軸部材５が鉛直方向と平行となるようにハウジング２の底板２２を下側にして、当該遠心ポンプ１を外部駆動手段（図示せず）に装着する。この装着状態で遠心ポンプ１が使用される。外部駆動手段は、例えば、モータと、モータに連結された永久磁石とを有し、この永久磁石が遠心ポンプ１に内蔵された永久磁石３４と磁力により引き付け合う。そして、この状態でモータが回転すると、その回転力が前記引き付け合う磁石同士を介して伝達されて、回転体３も回転することができる。
【００３０】
なお、回転体３の直径は、特に限定されないが、例えば、２０〜２００ｍｍであるのが好ましく、３０〜１００ｍｍであるのがより好ましい。回転体３の厚さは、特に限定されないが、例えば、３〜４０ｍｍであるのが好ましく、５〜３０ｍｍであるのがより好ましい。回転体３の最大回転数は、特に限定されないが、例えば、２０００〜６０００ｒｐｍであるのが好ましく、２５００〜５０００ｒｐｍであるのがより好ましい。
【００３１】
また、回転体３およびハウジング２の構成材料としては、特に限定されず、例えば、硬質ポリ塩化ビニル、ポリエチレン、ポリプロピレン、ポリスチレン、ポリカーボネート、アクリル樹脂、ポリメチルメタクリレート（ＰＭＭＡ）等のアクリル系樹脂、ポリエチレンテレフタレート（ＰＥＴ）、ポリブチレンテレフタレート（ＰＢＴ）のようなポリエステル、ポリサルフォン、ポリアリレート等の各種硬質樹脂が挙げられる。また、これらの構成材料のうちでも、特に、血液Ｑとの適合性に優れ、また、透明性、成形加工性に優れるという点で、ポリカーボネート、アクリル樹脂が好ましい。
【００３２】
図１に示すように、回転体３は、支持機構４を介してハウジング２に対し回転可能に支持されている。支持機構４は、軸部材５と、軸部材５の上端部（一端部）を回転可能に支持する第１の軸受け６と、軸部材５の下端部（他端部）を回転可能に支持する第２の軸受け７とを有している。
【００３３】
軸部材５は、回転体３の回転中心に設置されている。軸部材５は、両端部が丸みを帯びた棒状の部材で構成されている。軸部材５の構成材料としてセラミックを用いる場合、軸部材５の両端部は、研磨を施すことで軸部材５が回転する際の両端部の摺動性が向上する。また、軸部材５の構成材料として金属材料を用いる場合、軸部材５の両端部には、研磨を施した上で、例えば、ダイヤモンドライクカーボン（ＤＬＣ）やチタン等のコーティングが施されていてもよい。これにより、軸部材５が回転する際の両端部の摺動性や耐久性が向上する。
【００３４】
第１の軸受け６は、血液流入ポート２５の接続部２５３の内周部に凹没して形成された第１の軸受け設置部（凹部）２５４に設置、固定されている。第２の軸受け７は、ハウジング２の底板２２の中心部に凹没して形成された第２の軸受け設置部２２１に設置、固定されている。なお、第１の軸受け６、第２の軸受け７のハウジング２に対する固定方法としては、特に限定されないが、例えば、嵌合による方法、接着（接着剤や溶媒による接着）による方法、融着（熱融着、高周波融着、超音波融着等）による方法、インサート成形による方法等が挙げられる。
【００３５】
図１および図３に示すように、第１の軸受け６は、円盤状（円柱状）をなし、軸部材５を支持する支持部６１と、支持部６１から突出形成された突出部６２とを有している。
【００３６】
支持部６１は、第１の軸受け設置部２５４の底部に設けられ、下面６１０が、第１の軸受け設置部２５４内に位置している。また、支持部６１の下面６１０の中央部には、軸部材５の上端部を支持する支持面６１１が形成されている。支持面６１１は、軸部材５の上端面５１の湾曲形状に沿って湾曲して窪んでいる。
【００３７】
図３に示すように、突出部６２は、横断面形状が半円弧状をなし、軸部材５の上端外周部の半周を覆っている。すなわち、突出部６２の横断面形状の中心角θは、１８０°になっている（図５参照）。また、図４に示すように、血液流入ポート２５の上流側から見たとき、突出部６２は、軸部材５に対して右側に偏心して設けられている。
【００３８】
また、突出部６２の頂面（下面）６２０は、傾斜した傾斜面になっている。この頂面６２０は、血液流入ポート２５の径方向において、内周面２５５よりも、中心軸Ｏ’側に位置している。また、頂面６２０は、回転中心Ｏに対して傾斜して設けられている。そして、頂面６２０は、血液流入ポート２５の内周面２５５と同じ方向に、かつ、同じ傾斜角度で傾斜している。すなわち、頂面６２０は、中心軸Ｏ’に沿って傾斜している。これにより、突出部６２が血液流入ポート２５内を流下してくる血液Ｑの血流（以下、「第１の血流Ｒ１」とも言う）を阻害するのを防止または抑制することができる。よって、血液Ｑが血液流入ポート２５内を円滑に流下することができる。
【００３９】
また、図１および図３に示すように、突出部６２は、回転中心Ｏと平行な側面である第１の側面６２１、第２の側面６２２、第３の側面６２３および第４の側面６２４を有している。第１の側面６２１は、突出部６２の外周面で構成されている。第２の側面６２２は、突出部６２の内周面で構成されている。第３の側面６２３は、軸部材５の上流側に位置している。第４の側面６２４は、第３の側面６２３と同一平面上で、かつ、第３の側面６２３よりも下流側に位置している。また、第４の側面６２４は、第３の側面６２３よりも回転中心Ｏ方向の長さが長い。
【００４０】
ここで、図５に示すように、軸部材５が回転することにより、血液流入ポート２５内には、軸部材５回りに第２の血流Ｒ２が生じる。前述したように、軸部材５は、ハウジング２の上側から見て、時計回りに回転しているため、第２の血流Ｒ２は、軸部材５に時計回りに巻回するような血流となる。
【００４１】
この第２の血流Ｒ２は、図５中の二点鎖線で示すように、軸部材５の上側では上流側に向う、すなわち、逆流することとなる。このため、上流側からの第１の血流Ｒ１と合流する、すなわち、ぶつかり合う。このぶつかり合いによって、血液流入ポート２５内には、血液Ｑの勢いが相殺されて血液Ｑが滞留する滞留部が形成される場合がある。その結果、血液流入ポート２５内、特に、第１の軸受け設置部２５４内の軸部材５の外周に血栓が形成される可能性がある。
【００４２】
遠心ポンプ１では、前述したように、図５に示す断面において、軸部材５よりも上側に偏在して設けられている。これにより、第２の血流Ｒ２は、突出部６２の第４の側面６２４によって塞き止められる、すなわち、逆流が防止される。よって、第２の血流Ｒ２と、流下してくる第１の血流Ｒ１とがぶつかり合うのを防止することができ、血液流入ポート２５内に滞留部が形成されるのを防止することができる。その結果、血液流入ポート２５内、特に、第１の軸受け設置部２５４内の軸部材５の外周に血栓が形成されるのを防止または抑制することができる。
【００４３】
このように、突出部６２が、血液Ｑが血液流入ポート２５内を流下する方向と、軸部材５の回転方向とが互いに反対方向になる部分に設けられていることにより、軸部材５の外周に血栓が形成されるのを防止または抑制することができる。
【００４４】
また、図１に示すように、突出部６２が回転中心Ｏに対して偏心して設けられていることにより、第１の軸受け設置部２５４内において、軸部材５の突出部６２と反対側には間隙Ｓが形成される。この間隙Ｓ内に生じる第２の血流Ｒ２により、軸部材５の上端面５１と支持面６１１との間に入り込んだ血液Ｑは、押し出される。これにより、血液Ｑが軸部材５の上端面５１と支持面６１１との間に血液Ｑが滞留するのを効果的に防止または抑制することができる。その結果、血液Ｑが軸部材５の上端面５１と支持面６１１との間に血栓が形成されるのを防止または抑制することができる。
【００４５】
なお、本実施形態では、突出部６２の横断面形状の中心角θは、１８０°であるが、本発明ではこれに限定されず、例えば、９０〜２７０°等であってもよい。
【００４６】
第１の軸受け６と第２の軸受け７とは、同じ材料で構成されるのが好ましい。また、各軸受けと軸部材５とは、互いに同じ材料で構成されていてもよいし、異なる材料で構成されていてもよい。各軸受けと軸部材５とが互いに同じ材料で構成されている場合、各構成材料に硬質のものを用い、例えば、第１の軸受け６と第２の軸受け７と軸部材５とをそれぞれ金属材料またはセラミックスで構成することができる。各軸受けと軸部材５とが互いに異なる材料で構成されている場合、軸部材５の構成材料に硬質のものを用い、各軸受けの構成材料に軸部材５よりも軟質のものを用い、例えば、軸部材５を金属材料やセラミックスで構成し、第１の軸受け６と第２の軸受け７とをそれぞれ樹脂材料で構成することができる。
【００４７】
樹脂材料としては、特に限定されず、例えば、ポリエチレン、ポリプロピレン、エチレン−酢酸ビニル共重合体等のポリオレフィン、変性ポリオレフィン、ポリアミド（例：ナイロン６、ナイロン４６、ナイロン６６、ナイロン６１０、ナイロン６１２、ナイロン１１、ナイロン１２、ナイロン６−１２、ナイロン６−６６）、熱可塑性ポリイミド、芳香族ポリエステル等の液晶ポリマー、ポリフェニレンオキシド、ポリフェニレンサルファイド、ポリカーボネート、ポリメチルメタクリレート、ポリエーテル、ポリエーテルエーテルケトン、ポリエーテルイミド、ポリアセタール、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー等、またはこれらを主とする共重合体、ブレンド体、ポリマーアロイ等が挙げられ、これらのうちの１種または２種以上を混合して用いることができる。これらの中でも、特に平均分子量が大きい（例えば、２００万〜１０００万程度）のポリエチレン（超高分子ポリエチレン）が好ましい。特に、第１の軸受け６を超高分子ポリエチレンで構成することにより、第１の軸受け６の耐摩耗性、加工性および自己潤滑性を高めることができる。
【００４８】
金属材料としては、特に限定されず、例えば、ステンレス鋼等が挙げられる。また、金属材料の他に、セラミックス等も用いることができる。また、このような硬質材料（金属材料やセラミックス）の硬度（ビッカース硬度（Ｈｖ））としては、特に限定されず、例えば、５０以上であるのが好ましく、１００以上であるのがより好ましい。
【００４９】
＜第２実施形態＞
図６は、本発明の遠心ポンプ（第２実施形態）の拡大断面図である。図７は、図６に示す第１の軸受けの斜視図である。
【００５０】
以下、この図を参照して本発明の遠心ポンプの第２実施形態について説明するが、前述した実施形態との相違点を中心に説明し、同様の事項はその説明を省略する。
【００５１】
本実施形態は、第１の軸受けの形状が異なること以外は前記第１実施形態と同様である。
【００５２】
図６および図７に示すように、遠心ポンプ１Ａの第１の軸受け６Ａでは、突出部６２の突出長さが第１実施形態での突出部よりも短い。また、突出部６２の頂面６２０は、血液流入ポート２５の内周面２５５と、中心軸Ｏ’からの径方向の距離が同じになっている。これにより、図７に示すように、血液流入ポート２５内を流下する血液Ｑが、血液流入ポート２５の内周面２５５と第１の軸受け６Ａの頂面６２０との境界部付近を流下する際、円滑に流下することができる。よって、第１の軸受け６Ａが血流を阻害するのをより確実に防止することができる。
【００５３】
＜第３実施形態＞
図８は、本発明の遠心ポンプ（第３実施形態）の拡大断面図である。図９は、図８中の矢印Ｃ方向から見た図である。
【００５４】
以下、この図を参照して本発明の遠心ポンプの第３実施形態について説明するが、前述した実施形態との相違点を中心に説明し、同様の事項はその説明を省略する。
本実施形態は、整流部が設けられていること以外は前記第１実施形態と略同様である。
【００５５】
図８および図９に示すように、遠心ポンプ１Ｂの血液流入ポート２５には、第１の軸受け６Ｂの上流側に設けられ、血液Ｑ（第１の血流Ｒ１）を整流する整流部２５６が一体的に形成されている。整流部２５６は、血液流入ポート２５の内周面２５５から中心軸Ｏ’側に向って突出して設けられている。また、整流部２５６は、中心軸Ｏ’に沿って延在している。この整流部２５６により、血液流入ポート２５を流下する血液Ｑは、整流部２５６を介して両側に流れる（図９参照）。これにより、血液Ｑは、整流部２５６の下流側に位置する第１の軸受け６を迂回するようにして血液流入ポート２５内を流下する。よって、第１の軸受け６の周辺に血液Ｑが滞留するのをさらに効果的に防止または抑制することができる。よって、第１の軸受け６の外周部に血栓が形成されるのをさらに効果的に防止または抑制することができる。
【００５６】
また、整流部２５６は、横断面形状が中心軸Ｏ’側に頂部を有する略三角形をなしている。そして、図９に示すように、整流部２５６は、上流側にいくに従って幅および突出高さが徐々に小さくなっている。これにより、第１の血流Ｒ１は、上流側から緩やかに整流される。
【００５７】
さらに、図９中の補助断面図に示すように、整流部２５６の一対の側面２５７は、それぞれ、互いに接近する方向に湾曲している。これにより、第１の血流Ｒ１は、上流側から、さらに緩やかに整流される。
【００５８】
このような構成によれば、整流部２５６は、上記効果をより確実に発揮することができる。
【００５９】
また、整流部２５６の下流側の端部は、第１の軸受け６Ｂの外周部に接触している。これにより、第１の軸受け６Ｂには、例えば、回転体３が回転する際に生じる得るラジアル方向への力がかかるため、第１の軸受け６Ｂが変形することを防止する、すなわち、補強部として機能し得る。その結果、遠心ポンプ１Ｂの高寿命化を図ることができる。さらに、血液Ｑの流圧による第１の軸受け６Ｂの影響を軽減することができ、血液損傷を軽減することができる。
【００６０】
以上、本発明の遠心ポンプを図示の実施形態について説明したが、本発明は、これに限定されるものではなく、遠心ポンプを構成する各部は、同様の機能を発揮し得る任意の構成のものと置換することができる。また、任意の構成物が付加されていてもよい。
【００６１】
なお、前記各実施形態では、突出部は、図５に示す断面において、血液流入ポートの中心軸よりも上側に位置しているが、本発明ではこれに限定されず、図５に示す断面において、血液流入ポートの中心軸よりも下側に位置していてもよい。この場合、軸部材および回転体は、第１の軸受け側から見て反時計回りに回転するよう構成されている。
【００６２】
また、前記第１実施形態および第２実施形態では、第１の軸受けの傾斜部（下面）は、血液流入ポートの内周面と、血液流入ポートの中心軸からの距離が血液流入ポートの径方向において同じか、または、血液流入ポートの径方向において血液流入ポートの内周面よりも中心軸側に位置しているが、本発明ではこれに限定されず、血液流入ポートの内周面よりも血液流入ポートの中心軸から遠位側に位置していてもよい。
【００６３】
また、前記第３実施形態では、整流部は、血液流入ポートの中心軸方向に延在しているが、本発明ではこれに限定されず、例えば、長手方向の途中が欠損して間欠的に設けられていてもよい。
【００６４】
また、前記第３実施形態では、整流部は、横断面形状が略三角形をなしているが、本発明ではこれに限定されず、例えば、円形、半円形、四角形またはそれ以上の多角形等であってもよい。
【００６５】
また、前記第３実施形態では、整流部は、下流側が第１の軸受けと接触しているが、本発明ではこれに限定されず、第１の軸受けと離間していてもよい。
【００６６】
また、前記第３実施形態では、整流部は、ハウジング（血液流入ポート）と一体的に形成されているが、本発明ではこれに限定されず、ハウジングとは別体で構成されていてもよく、第１の軸受けと一体的に形成されていてもよい。
【産業上の利用可能性】
【００６７】
本発明の遠心ポンプは、中空体で構成されたハウジング本体と、前記ハウジング本体から突出形成され、前記ハウジング本体に連通し、血液が流入する血液流入ポートと、前記ハウジング本体の前記血液流入ポートとは異なる位置に設けられ、血液が流出する血液流出ポートとを有するハウジングと、前記中空部内に回転可能に収納され、その回転により血液に遠心力を付与する遠心力付与部材と、前記遠心力付与部材を前記ハウジングに対し回転可能に支持する支持機構とを備え、前記支持機構は、前記遠心力付与部材の回転中心に設置された軸部材と、前記血液流入ポート内に設置され、前記軸部材の一端部を回転可能に支持する第１の軸受けと、前記軸部材の他端部を回転可能に支持する第２の軸受けとを有し、前記第１の軸受けは、血流の上流側からみたとき、前記回転中心に対して偏心して突出形成された突出部を有することを特徴とする。そのため、血液流入ポート内において血栓が形成されるのを効果的に防止または抑制することができる。
【符号の説明】
【００６８】
１、１Ａ、１Ｂ  遠心ポンプ
２            ハウジング
２０          ハウジング本体
２１          天板
２２          底板
２２１        第２の軸受け設置部
２３          側壁
２３１        外周面
２３２        内周面
２４          ポンプ室
２４１        間隙
２５          血液流入ポート
２５１        屈曲部
２５２        根元部
２５３        接続部
２５４        第１の軸受け設置部
２５５        内周面
２５６        整流部
２５７        側面
２６          血液流出ポート
３            回転体
３１          血液流路
３２          上面
３３          外周面
３４          永久磁石
４            支持機構
５            軸部材
５１          上端面
６、６Ａ、６Ｂ  第１の軸受け
７            第２の軸受け
６１          支持部
６１０        下面
６１１        支持面
６２          突出部
６２０        頂面
６２１        第１の側面
６２２        第２の側面
６２３        第３の側面
６２４        第４の側面
Ｏ            回転中心
Ｏ’          中心軸
Ｑ            血液
Ｒ１          第１の血流
Ｒ２          第２の血流
Ｓ            間隙
θ            中心角
【図１】
2016042976.tif 000003
【図２】
2016042976.tif 000004
【図３】
2016042976.tif 000005
【図４】
2016042976.tif 000006
【図５】
2016042976.tif 000007
【図６】
2016042976.tif 000008
【図７】
2016042976.tif 000009
【図８】
2016042976.tif 000010
【図９】
2016042976.tif 000011
【国際調査報告】
2016042976.tif 000012
2016042976.tif 000013
2016042976.tif 000014
2016042976.tif 000015